(57)【要約】【課題】犬や猫に代表される愛玩動物の牙や爪から、人間の手や腕を保護する作業性の良い手袋を提供する。【解決手段】耐切創性のあるアラミド繊維を用いた手袋を用いること、必要に応じて一部または全面をゴムで覆うことにより、手や腕を動物の牙や爪からより確実に護る。【選択図】図１
0003138629.tif 000002
【実用新案登録請求の範囲】
【請求項１】
アラミド繊維で構成されたニット手袋でゲージが１１〜１８のものを愛玩動物と接する  
際に用いること。
【請求項２】
請求項１に於いて、手袋の表側の一部または全面にゴムを装着することにより、編物の目から食い込むような動物の牙や爪から手や腕を保護する手袋。
【請求項３】
請求項１に於いて肘の部分まで伸ばした手袋であること。
【請求項４】
請求項２に於いてゴムを貼り付ける為にゴムラテックスを用いる手袋。
【請求項５】
請求項２に於いて指先の部分だけをゴム貼りしない手袋。
【考案の詳細な説明】
【技術分野】
【０００１】
本考案は獣医やその病院のスタッフや助手、ペットシッター、トリマー及びペットショップなどで犬や猫などの動物に直接触れることが多い人が、噛まれたり、引っ掻かれたりする際に皮膚や骨を傷つけないよう、手や腕の保護をするために編目の細かい耐切創性のアラミド繊維の手袋を用いることに関する。
【０００２】
また表面の一部または全面にゴムを装着させるようにした手袋はさらに安全を確保できる。
ゴムの装着は動物からの保護には有効であるが作業性はマイナスになるため、指先はゴムを装着させないことにより作業性が維持できる。
【背景技術】
【０００３】
近年、犬や猫などの愛玩動物に接する機会が多くなっており、飼主以外にも獣医やその病院のスタッフおよびペットシッター、またトリマーやペットショップに於いても愛玩動物により噛まれたり、引っ掻かれたりして手や腕に怪我を負うことが多く報告されている。
【０００４】
このような動物から手や腕を守るのに通常防御できるものは数少ない。
皮革製の手袋や指先と掌に開口部を設けた手袋など報告されてはいるが実際は細かな作業時には不都合で、軽量、薄型、強固でしかもさらに作業性の良い安全な手袋が渇望されていた。
【特許文献１】登録実用新案第３１２４０３５号
【考案の開示】
【考案が解決しようとする課題】
【０００５】
愛玩動物は最近とみに家庭の中に入ってきており、ペットシッターにお世話を依頼したり、病院やトリミングに行く機会が増えてきている。そのため動物との接触回数が増えて、結果的に噛まれたり、引っ掻かれたりする事が多くなった。
【０００６】
動物病院に於いては皮膚の点検や内臓の検診に直接動物に触れて行うことが多く、よく急に暴れ出して、噛みつき、引っ掻き等の行為に出るためその場に居合わせた人は怪我を負うことになる。
【０００７】
実際には手で触れているときにそのようなことが起こることが多いため、手や腕が一番怪我しやすく、特に手の甲の部分や前腕の後面で起こる確率が高い。
【０００８】
通常の手袋では、例えば綿製の軍手の場合は編み目が粗く、猫の爪で簡単に骨の部分まで達するほど中まで侵入されてしまうし、犬の牙で綿糸が簡単に切れて皮膚が裂けるような手の怪我を負うことになる。
【０００９】
防弾チョッキにも使用されているアラミド繊維の場合は糸が切れることはまずないので比較的怪我が起こりにくい。しかし、編目の粗い手袋では爪や細い歯、牙が編目を通って怪我となる場合がある。
【００１０】
特に手の甲の部分や前腕部後面は怪我を負うことが多いため、その部分はさらに何らかの防御対策が必要と考えられる。
【課題を解決するための手段】
【００１１】
動物の牙や爪から保護できる耐切創性の優れたアラミド繊維を使ったニット手袋は軽量で作業性が良く、使用した際に噛まれたり、引っ掻かれたりしても大怪我にはなりにくい。
【００１２】
さらに通常品より細い糸を用い、編目の細かい手袋にすると編目から牙や爪が食い込みにくくなり有利となる。特にゲージとして１１〜１８の編目の手袋にすることで最良となる。ゲージが１１未満では編目が粗く食い込みやすいし、１８以上では極細の糸が必要となり編み地が薄すぎて手袋自身の強度が不足する。細い糸を使用した２重編みが好ましい。
【００１３】
通常の犬、猫の場合、大概は食い込む事はないが、さらに安全を追求すれば、手袋表面の一部または全面にゴムをコーティングすることにより達成できる。
【００１４】
ゴムの貼り付けはゴムシートを接着剤で接着させても良いが、ゴムラテックスでコーティングした後、酸と熱で硬化させて得られる方法や感熱ゲル化性ゴムラテックスを使用する方法もより効果的である。
コーティングは作業性を余り低下させないようにできるだけ薄く表面にカバーされる程度とする。
【００１５】
ゴムの設置は、部分的にゴムを貼り付けないようにする。特に指先は細かい作業をする上で自由にしなければならず、ラテックスコーティング時には一時マスキングをすることで可能となる。
【００１６】
前腕の部分の防御には肘の部分までの手袋が有用である。同様にゴムでカバーするとさらに安全性が増すことになる。
【００１７】
このようにアラミド繊維を用いた手袋を用いることにより、従来大怪我をしていた事故を未然に防ぐことが可能となる。さらに肘部分までの手袋にしたり、ゴムによるカバリングをすることでより安全に動物と接触できる。
【考案の効果】
【００１８】
従来は動物との接触に殆んどが素手か手術用ゴム手袋、薄手の綿やナイロンの手袋を使用しており、牙や爪による事故が多発していた。手術用手袋は弱く通気性が著しく悪く、薄手の綿やナイロンは引っ掻きなどで強度がもたない。また、皮革製手袋も開発されてはいるが、分厚く、作業性が非常に劣る為、嵌めたままでは細かい作業や触診などは困難であった。
【００１９】
本技術によって事故は未然に防げる他、薄手の手袋とほぼ同様に作業性および通気性が良いことが判明した。
【考案を実施するための最良の形態】
【００２０】
本考案に用いられる手袋の材質は耐切創性の良好なアラミド繊維である。その目の粗さには、動物の牙や爪が入りにくくするため従来の軍手に比較して隙間を少なくする必要があり、１１〜１８ゲージのものが選択される。
【００２１】
さらに安全を求めると、ゴムラテックスにより手の甲の部分および前腕の後面部分をゴムコーティングしたものが有用である。
全面にゴムコーティングする場合は薄く行うか、伸びの良いゴムを選択する。
ゴムラテックスの色相はできるだけ肌色に近くするのが好ましい。
【００２２】
細かい作業を行うためには指先をゴムコーティングしないでおくと良い。指先は爪が防御の働きをするので、怪我しにくい。
【実施例】
【００２３】
パラ系アラミド繊維を用いて手袋編み機で１５Ｇの手袋を作成した。
手の形のマネキンにその手袋を嵌めて天然ゴムラテックスにより甲の部分だけコーティングし、加硫
処理した。
【００２４】
同様に作成した１５Ｇの手袋を手の形のマネキンに嵌めてから指先部分に小さい指サックを装着した後、ニトリルゴムラテックスをベースに硫黄、亜鉛華、スルフェンアミド系加硫促進剤を配合した調整ラテックスをコーティングし、酸性水で表面硬化した後水洗し、１００℃で１時間乾燥した。その後指サックを外し、本用途品とした。
【００２５】
パラ系アラミド繊維で１３Ｇの手袋を肘の部分まで伸ばした長手袋として作成した。
上記処方と同じ調整ニトリルゴムラテックスを手の甲の部分および前腕の後面部分を覆うようにコーティングし、同様に表面硬化、乾燥した。
【００２６】
１５Ｇのラテックス処理で得られたアラミド繊維製手袋と通常の７Ｇの手袋を用いて食事用フォークで引っ掻き試験を行った。通常の７Ｇでは綿製、パラ系アラミド繊維製のいずれも編目の間からフォークの先端が入りこみ、水平にずらすことにより引っ掻き傷が発生した。一方前記の手袋はゴムコーティングしていない部分で編物の上部で刺さらず、そのまま水平にずらしても傷は発生しなかった。
ただし、その部分だけ少し赤く変化した。ゴムコーティングした手の甲の部分はフォークを刺そうとしても全く入らず、完璧に防御された。
【００２７】
１３Ｇおよび１５Ｇのアラミド繊維製の手袋ではカッターナイフを用いて表面を切ろうとしても上手く切れなかった。通常の綿やナイロンの手袋は簡単に切れてしまい、切創による傷が生じてしまった。
【産業上の利用可能性】
【００２８】
愛玩動物の牙や爪による怪我は最近特に多く報告されているが、その対応策はいまだに完全ではない。動物病院やトリミング、ペットショップでの動物との対応時には、診察や毛の手入れ
で細かい作業をする必要があるため、指先は自由に扱えなければならない。
本考案はこれらの条件を満たすように、軽量で柔軟性があり、作業性が良く、しかも耐切創性であり先鋭物の食い込みを防ぐのに有効であり、動物との接触機会が多い人の動物からの防御に役立つ。
【図面の簡単な説明】
【００２９】
【図１】最も安全で作業性の良い手袋を図面で示すと図１のようになる。斜線の部分がゴムをコーティングしたところ、指先はそのまま残しておく。
【図１】
0003138629.tif 000003
【手続補正書】
【提出日】平成19年11月14日(2007.11.14)
【手続補正１】
【補正対象書類名】実用新案登録請求の範囲
【補正対象項目名】全文
【補正方法】変更
【補正の内容】
【実用新案登録請求の範囲】
【請求項１】
ニット用のゲージ数が１１〜１８のアラミド繊維で構成したことを特徴とする愛玩動物用手袋
【請求項２】
前記手袋の愛玩動物と接する面の少なくとも１部にゴムを装着したことを特徴とする請求項１に記載の愛玩動物用手袋
【請求項３】
前記手袋は肘部を覆う位置まで一体的に構成したことを特徴とする請求項１乃至請求項２に記載の愛玩動物用手袋
【請求項４】
前記手袋に装着するゴムは、手袋にゴムラテックスを含浸またはコーティングして硬化処理したものであることを特徴とする請求項２に記載した愛玩動物用手袋
【請求項５】
前記手袋の指先の部分はゴム貼りしないことを特徴とする請求項2に記載の愛玩動物用手袋。